(57)【要約】【課題】カバー体のみによって配光特性を変更することができ、目的に応じた設置を容易かつ安価にすることができる照明手摺を提供すること。【解決手段】下方に向かって開口する凹部１１を長手通しに設けた笠木材１０と、凹部１１内に固定される照明ユニット２０とを有し、照明ユニット２０は、光源ユニット２１と、給電用ケーブル２２と、凹部１１の開口部を塞ぐカバー体３０Ａ又は３０Ｂを係合保持するケースとを具備してなる照明手摺において、カバー体３０Ａ，３０Ｂは、光源ユニット２１の直下位置に交換可能に配設される。カバー体３０Ａは、棒状に形成されるレンズ体であって、長手方向と直交する断面において、双曲線状の光入射面３５Ａ及び光放射面３６Ａを有する。カバー体３０Ｂは、長手方向と直交する断面において、一側方に向かって漸次肉厚に隆起する凸面状の光放射面３６Ｂを有する。【選択図】図６
2019002232.tif 000002
【特許請求の範囲】
【請求項１】
下方に向かって開口する凹部を長手通しに設けた笠木材と、上記凹部内に固定される照明ユニットとを有し、上記照明ユニットは、光源ユニットと、給電用ケーブルと、上記凹部の開口部を塞ぐカバー体を係合保持するケースとを具備してなる照明手摺であって、
上記カバー体は、棒状に形成されるレンズ体であって、上記光源ユニットの直下位置に配設され、長手方向と直交する断面において、双曲線状の光入射面及び光放射面を有する、
ことを特徴とする照明手摺。
【請求項２】
請求項１に記載の照明手摺において、
上記カバー体は、上記光入射面と上記光放射面間の両側に垂直反射面が形成されている、ことを特徴とする照明手摺。
【請求項３】
下方に向かって開口する凹部を長手通しに設けた笠木材と、上記凹部内に固定される照明ユニットとを有し、上記照明ユニットは、光源ユニットと、給電用ケーブルと、上記凹部の開口部を塞ぐカバー体を係合保持するケースとを具備してなる照明手摺であって、
上記カバー体は、上記光源ユニットの直下位置に配設され、長手方向と直交する断面において、一側方に向かって漸次肉厚に隆起する凸面状の光放射面を有する、
ことを特徴とする照明手摺。
【請求項４】
請求項３に記載の照明手摺において、
上記光放射面が多角形状に形成されている、ことを特徴とする照明手摺。
【請求項５】
請求項３又は４に記載の照明手摺において、
上記カバー体は、上記光放射面の肉薄側に突条を垂下してなり、該突条は配光方向側に垂直面が形成され、配光方向と反対側に曲面状の傾斜反射面が形成されている、ことを特徴とする照明手摺。
【請求項６】
請求項３ないし５のいずれかに記載の照明手摺において、
上記カバー体は、上記光放射面の肉厚側の側面に乱反射用の凹凸面が形成されている、ことを特徴とする照明手摺。
【発明の詳細な説明】
【技術分野】
【０００１】
この発明は、例えば、屋外の階段や通路に設置される照明を手摺に組み込んだ照明手摺に関するものである。
【背景技術】
【０００２】
屋外の階段や通路に設置される手摺において、照明を手摺に組み込むことは現在広く行われている。
この場合、照明用の光源としてＬＥＤが用いられることが多いが、ＬＥＤの発光は指向性があり、照明として用いるには求める方向にＬＥＤを向けたり、光を拡散させる部材を介在するなどの必要がある。
【０００３】
従来のこの種の手摺として、握り棒（笠木材）に長手方向に延在する凹部を形成し、凹部内にＬＥＤユニットを内蔵し、凹部の開口部に照明カバーを備える構造のものが知られている（例えば、特許文献１参照）。
【０００４】
特許文献１に記載の手摺は、照明方向が真下でなく壁側に向けることで、照明手段の光が利用者の目に直接入りにくくなり、利用者が感じる眩しさを軽減することができる。
【先行技術文献】
【特許文献】
【０００５】
【特許文献１】特開２０１５−１８３３９４号公報
【発明の概要】
【発明が解決しようとする課題】
【０００６】
しかしながら、特許文献１に記載のものにおいては、照明方向は凹部の開口位置によって調整するため、照明方向の向きを変更可能にするためには、変更のための作業が大掛かりになり、コスト的な問題を有している。
【０００７】
照明カバーによって光を拡散させる場合は、むらのない照明とはなるが、光の方向の制御すなわち配光（光度の角度に対する変化・分布）の制御は難しい。また、明るく照らすことができない等の懸念がある。
【０００８】
この発明は、上記事情に鑑みてなされたもので、カバー体のみによって配光特性を変更することができ、目的に応じた設置を容易かつ安価にすることができる照明手摺を提供する。
【課題を解決するための手段】
【０００９】
上記課題を解決するため、この発明に係る第１の照明手摺は、下方に向かって開口する凹部を長手通しに設けた笠木材と、上記凹部内に固定される照明ユニットとを有し、上記照明ユニットは、光源ユニットと、給電用ケーブルと、上記凹部の開口部を塞ぐカバー体を係合保持するケースとを具備してなる照明手摺であって、  上記カバー体は、棒状に形成されるレンズ体であって、上記光源ユニットの直下位置に配設され、長手方向と直交する断面において、双曲線状の光入射面及び光放射面を有する、ことを特徴とする（請求項１）。
【００１０】
このように構成することにより、光源ユニットからの光を双曲線状の光入射面及び光放射面によって拡散して手摺の両側に配光することができる。
【００１１】
請求項１に記載の照明手摺において、上記カバー体は、上記光入射面と上記光放射面間の両側に垂直反射面が形成されているのが好ましい（請求項２）。
【００１２】
このように構成することにより、垂直反射面によって反射した光が光放射面によって拡散されて手摺の両側に配光される。
【００１３】
また、この発明に係る第２の照明手摺は、下方に向かって開口する凹部を長手通しに設けた笠木材と、上記凹部内に固定される照明ユニットとを有し、上記照明ユニットは、光源ユニットと、給電用ケーブルと、上記凹部の開口部を塞ぐカバー体を係合保持するケースとを具備してなる照明手摺であって、  上記カバー体は、上記光源ユニットの直下位置に配設され、長手方向と直交する断面において、一側方に向かって漸次肉厚に隆起する凸面状の光放射面を有する、ことを特徴とする（請求項３）。
【００１４】
このように構成することにより、光源ユニットからの光を一側方に向かって漸次肉厚に隆起する凸面状の光放射面によって拡散して手摺の片側に配光することができる。
【００１５】
請求項３に記載の照明手摺において、上記光放射面は凸状であれば曲面であっても差し支えないが、多角形状に形成されているのがよい（請求項４）。
【００１６】
このように構成することにより、多角形状の光放射面によって光を更に拡散して手摺の片側に配光することができる。また、多角形状に形成して疑似曲線状とすることで、製作を容易にすることができる。
【００１７】
また、請求項３又は４に記載の照明手摺において、上記カバー体は、上記光放射面の肉薄側に突条を垂下してなり、該突条は配光方向側に垂直面が形成され、配光方向と反対側に曲面状の傾斜反射面が形成されているのが好ましい（請求項５）。
【００１８】
このように構成することにより、突条の垂直面によって配光方向と反対方向への光の漏れを遮断することができると共に、傾斜反射面で反射する光を光放射面によって拡散して配光することができる。
【００１９】
また、請求項３ないし５のいずれかに記載の照明手摺において、上記カバー体は、上記光放射面の肉厚側の側面に乱反射用の凹凸面が形成されているのが好ましい（請求項６）。
【００２０】
このように構成することにより、光放射面の肉厚側の側面に照射される光を凹凸面によって乱反射させて配光方向と逆方向に光が漏れるのを阻止することができる。
【発明の効果】
【００２１】
この発明によれば、上記のように構成されているので、以下のような優れた効果が得られる。
【００２２】
光源ユニットからの光をカバー体に形成された双曲面状の光入射面及び光放射面、又は、一側方に向かって漸次肉厚に隆起する凸面状の光放射面によって拡散して手摺の両側又は片側に配光することができる。したがって、カバー体のみによって配光特性を変更することができ、目的に応じた設置を容易かつ安価にすることができる。
【図面の簡単な説明】
【００２３】
【図１】この発明に係る照明手摺の使用状態を示す概略斜視図である。
【図２Ａ】この発明の第１実施形態を示す断面図である。
【図２Ｂ】この発明の第２実施形態を示す断面図である。
【図３Ａ】この発明の第１実施形態の要部拡大断面図（ａ）及び第１実施形態のカバー体の拡大断面図（ｂ）である。
【図３Ｂ】この発明の第２実施形態の要部拡大断面図（ａ）及び第２実施形態のカバー体の拡大断面図（ｂ）である。
【図４Ａ】この発明の第１実施形態の分解斜視図である。
【図４Ｂ】この発明の第２実施形態の分解斜視図である。
【図５Ａ】この発明の第１実施形態の配光を示す概略断面図である。
【図５Ｂ】この発明の第２実施形態の配光を示す概略断面図である。
【図６】この発明におけるカバー体の取付状態を示す断面図である。
【発明を実施するための形態】
【００２４】
以下に、この発明に係る照明手摺の実施形態を添付図面に基づいて詳細に説明する。
【００２５】
図１は、この発明に係る第１実施形態の照明手摺１Ａと第２実施形態の照明手摺１Ｂの使用状態を示す概略斜視図である。
【００２６】
第１実施形態の照明手摺１Ａ（以下に手摺１Ａという）は、屋外の通路２に適宜間隔をおいて立設される支柱３を介して固定される。また、第２実施形態の照明手摺１Ｂ（以下に手摺１Ｂという）は、屋外の壁面４に適宜間隔をおいて取り付けられるブラケット５を介して壁面４に固定される。
【００２７】
上記手摺１Ａ，１Ｂは、支持形態が支柱３かブラケット５かの違いで、その他は同様に形成されているので、同一部分には同一の符号を付して説明する。
【００２８】
手摺１Ａ，１Ｂは、下方に向かって開口する凹部１１を長手通しに設けた笠木材１０と、凹部１１内に固定される照明ユニット２０とを有する。
【００２９】
笠木材１０は、例えばステンレス製の板材を折り曲げ加工して略筒状に形成され、下方に向かって開口する凹部１１を除いて断面が円形状に形成されている。なお、笠木材１０は折り曲げ加工により作製されるため、凹部１１の天井壁１１ａの幅方向における中央部が材料板材の辺縁同士の継ぎ目となっている。
【００３０】
照明ユニット２０は、図４Ａ及び図４Ｂに示すように、光源ユニット２１と、給電用ケーブル２２と、凹部１１の開口部を塞ぐカバー体３０Ａ，３０Ｂを係合保持するケース２３とを具備してなる。
【００３１】
光源ユニット２１は、図３Ａ，図３Ｂに示すように、適宜間隔でＬＥＤ２１ａを実装した帯状のプリント基板２１ｂを透明の軟質合成樹脂製の収容チューブ２１ｃ内に収容して形成されている。
この場合、プリント基板２１ｂは可撓性を有する薄いものであり、その配線は、ＬＥＤ２１ａを並列接続することにより、長手方向の適宜の位置で切断しても、その両端を給電用ケーブル２２に電気的に接続することにより、実装されたＬＥＤ２１ａの全てに給電できるようになっている。
なお、ＬＥＤ２１ａはいわゆる表面発光タイプのもので、その配置間隔は光量等を考慮して適宜決定される。
【００３２】
上記ケース２３は、適宜の弾性変形可能な合成樹脂製部材にて形成されている。このケース２３は、対峙する側片２３ａ，２３ｂの上端を連結片２３ｃで連結した断面略コ字状のケース本体２３ｄと、連結片２３ｃの幅方向の一側と一方の側片２３ａとの間に設けられる下方が開口する光源保持部２３ｅと、他方の側片２３ｂの下部内方側に設けられるケーブル保持部２３ｆとを具備している。
【００３３】
この場合、ケーブル保持部２３ｆは、他方の側片２３ｂと、この側片２３ｂの下端縁から内方に向かって傾斜状に延在するケーブル支持片２３ｇと、ケーブル支持片２３ｇの先端から内方に向かって起立する先端側が可撓性を有する薄肉状の起立片２３ｈとで形成されている。なお、起立片２３ｈの上端と、上方に位置する光源保持部２３ｅの側壁との間に、給電用ケーブル２２が通過可能な隙間ｓが設けられており、この隙間ｓを介して給電用ケーブル２２がケーブル保持部２３ｆ内に保持される。
【００３４】
また、ケース２３は、上記起立片２３ｈにおける凹部１１の開口側面には、カバー体３０Ａ，３０Ｂが係合可能な断面円弧状の係止凹溝２３ｉが長手通しに形成されている。この係止凹溝２３ｉと、一方の側片２３ａ及び凹部１１の一側との間にカバー体３０Ａ，３０Ｂが係合保持された状態で、カバー体３０Ａ，３０ＢがＬＥＤ２１Ａの発光部の真下に位置される。
【００３５】
次に、カバー体３０Ａ，３０Ｂについて説明する。カバー体３０Ａ，３０Ｂは、例えばアクリル樹脂又はポリカーボネート樹脂等の透明の合成樹脂にて形成されている。カバー体３０Ａ，３０Ｂの長手方向に沿う一方の側壁３１には、ケース２３の一方の側片２３ａの下端部に係合可能な係合段部３３が設けられ、他方の側壁３２には、ケース２３に設けられた係止凹溝２３ｉに係合可能な断面凸円弧状の係止突条３４が設けられている。
【００３６】
第１実施形態のカバー体３０Ａは、棒状に形成されるレンズ体であって、図２Ａ及び図３Ａに示すように、長手方向と直交する断面において、双曲面状の光入射面３５Ａ及び光放射面３６Ａを有している。また、カバー体３０Ａは、光入射面３５Ａと光放射面３６Ａ間の両側に垂直反射面３７が形成されている。
【００３７】
一方、第２実施形態のカバー体３０Ｂは、図２Ｂ及び図３Ｂに示すように、長手方向と直交する断面において、一側方に向かって漸次肉厚に隆起する凸面状の光放射面３６Ｂを有している。光放射面３６Ｂは、図３Ｂ（ｂ）に示すように、複数の角部３６ａを有する多角形状に形成されている。なお、光入射面３５Ｂは平坦状に形成されている。
【００３８】
また、カバー体３０Ｂは、光放射面３６Ｂの肉薄側に突条３８を垂下してなり、該突条３８は配光方向側に垂直面３８ａが形成され、配光方向と反対側に曲面状の傾斜反射面３８ｂが形成されている。また、光放射面３６Ｂの肉厚側の側面に乱反射用の凹凸面３９が形成されている。
【００３９】
この場合、傾斜反射面３８ｂは係合段部３３の下方に設けられており、傾斜反射面３８ｂの外方には、笠木材１０の凹部１１の一方の側壁１１ｂに当接可能な係止突起３８ｃが突設されている。また、凹凸面３９は係止突条３４の上方に設けられている。なお、係止突条３４の下方には、ケース２３のケーブル支持片２３ｇの下面に係合可能な係止突片３４ａが設けられている。
【００４０】
手摺１Ａ，１Ｂは、施工現場において、支柱３やブラケット５間の間隔に合わせてケースやプリント基板２１ｂ、収容ケース２３、カバー体３０Ａ，３０Ｂを切断し、また、給電用ケーブル２２を笠木材１０の全長よりやや長くなる程度に切断した上で、これらを笠木材１０に順次組み付けて形成される。
【００４１】
この場合、手摺１Ａは、笠木材１０に照明ユニット２０を組み付けた後で、支柱３と連結されるが、この照明ユニット２０の笠木材１０への組み付けに先立って支柱３が通路２に固定されることにより、支柱３との連結位置を事前にある程度正確に確認することができる。また、この組み付けに先立ち、プリント基板２１ｂの両端の配線には適宜の連絡ケーブル２６が電気的に接続される。
【００４２】
なお、手摺１Ｂは、連結補助材２５が取り付けられたブラケット５と連結された後で、笠木材１０に照明ユニット２０が組み付けられるが、この照明ユニット２０の笠木材１０への組み付けに先立ってブラケット５が壁面４に固定されることにより、ブラケット５との連結位置を事前にある程度正確に確認することができる。
【００４３】
手摺１Ａ，１Ｂを組み付ける場合は、支柱３間又はブラケット５間に対応する位置範囲において、笠木材１０の凹部１１内にケース２３を挿入して固定ねじ２４で固定した後、給電用ケーブル２２を凹部１１内に挿入し、ケーブル支持片２３ｇ上に載置した状態で、その両端を笠木材１０の両端などの適宜の箇所から笠木材１０の外方に引き出しておく。
【００４４】
次に、給電用ケーブル２２と連絡ケーブル２６を電気的に接続し、給電用ケーブル２２と連絡ケーブル２６の結線を終えたら、光源ユニット２１をケース２３の光源保持部２３ｅに挿入して装着する。
【００４５】
上記のようにして、凹部１１内に光源ユニット２１と給電用ケーブル２２を取り付けた後、凹部１１の開口部すなわちケース２３の開口部にカバー体３０Ａ，３０Ｂを装着する。
【００４６】
カバー体３０Ａのケース２３への装着は、カバー体３０Ａの光入射面３５Ａをケース２３に向けて押し込むようにして、係合段部３３をケース２３の一方の側片２３ａの下端部に係止させると共に、係止突条３４をケース２３の他方の側片２３ｂ側の起立片２３ｈに設けられた係止凹溝２３ｉに係止させる。これにより、カバー体３０Ａは凹部１１の一方の側壁１１ｂと起立片２３ｈとで挟持された状態で保持される。
【００４７】
一方、カバー体３０Ｂのケース２３への装着は、カバー体３０Ｂの光入射面３５Ｂをケース２３に向けて押し込むようにして、係合段部３３をケース２３の一方の側片２３ａの下端部に係止させると共に、係止突条３４をケース２３の他方の側片２３ｂ側の起立片２３ｈに設けられた係止凹溝２３ｉに係止させる。これにより、カバー体３０Ｂの係止突起３８ｃが凹部１１の一方の側片２３ａに当接するので、カバー体３０Ｂは凹部１１の一方の側片２３ａと起立片２３ｈとで挟持された状態で保持される。
【００４８】
なお、カバー体３０Ａ，３０Ｂを取り外す場合は、カバー体３０Ａ，３０Ｂの端部を摘まんで、凹部１１の外方側へ引き起こせば、起立片２３ｈが弾性変形して係止凹溝２３ｉと係止突条３４の係合が解かれるので、容易にカバー体３０Ａ，３０Ｂを取り外すことができる。したがって、カバー体３０Ａ，３０Ｂの交換を容易にすることができる。
【００４９】
上記のようにして、笠木材１０への照明ユニット２０の組み付けが完了したら、手摺１Ａは支柱３に、手摺１Ｂはブラケット５に組み付ける。
これら支柱３又はブラケット５への組み付けの際には、給電用ケーブル２２がケーブル保持部２３ｆに収容されるように連結補助材２５が凹部１１内に取り付けられる。
また、支柱３又はブラケット５への組み付けが完了したら、最後に、給電用ケーブル２２の両端を適宜の穴を通して通路２又は壁面４の内側に引き出すなどし、電源制御部を介して商用電源やバッテリーに接続すれば、手摺１Ａ，１Ｂが完成する。
【００５０】
上記のようにして形成される手摺１Ａによれば、図５Ａに示すように、光源ユニット２１の発光部（ＬＥＤ２１ａ）からの光を双曲面状の光入射面３５Ａ及び光放射面３６Ａによって手摺１Ａの両側に拡散して配光することができる。
また、両側の垂直反射面３７で反射した光が光放射面３６Ａで拡散されることで、手摺１Ａの両側に配光を明るくすることができる。
【００５１】
また、上記のように形成される手摺１Ｂによれば、図５Ｂに示すように、光源ユニット２１の発光部（ＬＥＤ２１ａ）からの光を一側方（図５Ｂにおいて左側）に向かって漸次肉厚に隆起する凸面状の光放射面３６Ｂによって拡散して手摺１Ａの片側に配光することができる。
また、反対側では、照射したい側と反対に照射される光を傾斜反射面３８ｂで反射させ、光放射面３６Ｂで拡散させることで、手摺１Ａの片側に配光を明るくすることができる。更に、光放射面３６Ｂの肉厚側の側面に照射される光を凹凸面３９によって乱反射させて配光方向と逆方向に光が漏れるのを阻止することができるので、壁面４側への照射を最小限にし、本来光が必要な通路側を無駄なく広く配光することができる。
また、手摺１Ｂの側面に発光部（ＬＥＤ２１ａ）が露出しないため、車椅子使用者や子供等視線の低い人でも眩しさを感じることがない環境とすることができる。
【００５２】
また、上記実施形態によれば、カバー体３０Ａ，３０Ｂ以外の笠木材１０、光源ユニット２１、給電用ケーブル２２及びケース２３は共通の部材にて形成されるので、必要に応じてカバー体３０Ａ，３０Ｂを交換して手摺１Ａ，１Ｂを形成することができる。
【００５３】
また、上記実施形態によれば、幅の広い階段や通路の中央に手摺１Ａを設置し、階段や通路の幅方向の両端に手摺１Ｂを設置すれば、手摺１Ａによって階段や通路の中央部付近を明るくし、手摺１Ｂによって端部付近を明るくすることができる。したがって、広い階段や通路で足元が暗くなる箇所がなくなり、手摺１Ａ，１Ｂを使用しない歩行者でも安心して通行することができる。
【符号の説明】
【００５４】
１Ａ，１Ｂ  照明手摺
１０  笠木材
１１  凹部
２０  照明ユニット
２１  光源ユニット
２１ａ  ＬＥＤ
２１ｂ  プリント基板
２２  給電用ケーブル
２３  ケース
２３ｅ  光源保持部
２３ｉ  係止凹溝
３０Ａ，３０Ｂ  カバー体
３３  係合段部
３４  係止突条
３５Ａ，３５Ｂ  光入射面
３６Ａ，３６Ｂ  光放射面
３６ａ  角部
３７  垂直反射面
３８  突条
３８ａ  垂直面
３８ｂ  傾斜反射面
３９  乱反射用凹凸面
【図１】
2019002232.tif 000003
【図２Ａ】
2019002232.tif 000004
【図２Ｂ】
2019002232.tif 000005
【図３Ａ】
2019002232.tif 000006
【図３Ｂ】
2019002232.tif 000007
【図４Ａ】
2019002232.tif 000008
【図４Ｂ】
2019002232.tif 000009
【図５Ａ】
2019002232.tif 000010
【図５Ｂ】
2019002232.tif 000011
【図６】
2019002232.tif 000012